【手続補正書】
【提出日】平成16年6月1日(2004.6.1)
【手続補正１】
【補正対象書類名】明細書
【補正対象項目名】請求項１
【補正方法】変更
【補正の内容】
【請求項１】
光電変換する受光素子の位置を、隣接する他の受光素子に対して互いにずらして２次元配置した画素を形成し、受光量に応じた電荷を生成する複数の光電変換手段であって、入射光を第１の色成分、第２の色成分および第３の色成分の３つの色成分に分光する色フィルタが受光部に配置された複数の光電変換手段と、
該複数の光電変換手段のうち第１の色成分の色フィルタが配置された第１の光電変換手段にて生成され、転送ゲートを介してシフトされた第１の色成分の電荷を、垂直方向に転送する複数の第１の垂直転送路と、
前記複数の光電変換手段のうち第２の色成分の色フィルタが配置された第２の光電変換手段にて生成され、転送ゲートを介してシフトされた第２の色成分の電荷、および第３の色成分の色フィルタが配置された第３の光電変換手段にて生成され転送ゲートを介してシフトされた第３の色成分の電荷を垂直方向に転送する複数の第２の垂直転送路と、
第１および第２の垂直転送路のそれぞれを水平方向に接続し、各垂直転送路のポテンシャルを、垂直駆動パルスに応じて変化させる第１、第２、第３および第４の垂直転送電極と、
第１および第２の垂直転送路から転送される第１ないし第３の色成分の電荷を水平走査方向に転送する水平転送路と、
該水平転送路から転送される電荷を検出し、該信号電荷に応じた電気信号を出力する出力手段とを含み、
前記第１の垂直転送路と第２の垂直転送路とは、それぞれ水平方向に交互に配設されており、
第１ないし第４の垂直転送電極は、各垂直転送路に順に接続され、
第１の光電変換手段は、転送ゲートを介して第３の垂直転送電極に接続されて、第３の垂直転送電極に印加される読出パルスに応動して、第１の光電変換手段にて生成される電荷を、第１の垂直転送路にシフトし、
第２の光電変換手段は、転送ゲートを介して第１の垂直転送電極に接続されて、第１の垂直転送電極に印加される読出パルスに応動して、該第２の光電変換手段にて生成される電荷を、第１の電極に対応する領域の第２の垂直転送路にシフトし、
第３の光電変換手段は、転送ゲートを介して第２の垂直転送電極に接続されて、第２の垂直転送電極に印加される読出パルスに応動して、該第３の光電変換手段にて生成される電荷を、第２の領域に対応する領域の第２の垂直転送路にシフトすることを特徴とする固体撮像素子。
【手続補正２】
【補正対象書類名】明細書
【補正対象項目名】請求項２
【補正方法】変更
【補正の内容】
【請求項２】
請求項１に記載の固体撮像素子において、前記色フィルタの第１の色成分は緑成分であり、前記色フィルタの第２の色成分は赤成分であり、前記色フィルタの第３の色成分は青成分であることを特徴とする固体撮像素子。
【手続補正３】
【補正対象書類名】明細書
【補正対象項目名】請求項４
【補正方法】変更
【補正の内容】
【請求項４】
撮像レンズを介して入射される光学像に応じた画像信号を生成する撮像装置において、該装置は、
前記光学像を撮像面に受光して、該光学像に応じたカラー画像を表す画像信号を生成する固体撮像素子と、
前記画像信号を増幅する増幅手段と、
該増幅手段にて増幅された画像信号をディジタル信号に変換する変換手段と、
該変換手段にて変換された画像信号を処理する信号処理手段と、
前記固体撮像素子を駆動する駆動手段と、
前記撮像素子への露光量を制御する制御手段とを含み、
前記固体撮像素子は、
光電変換する受光素子の位置を、隣接する他の受光素子に対して互いにずらして２次元配置した画素を形成し、受光量に応じた電荷を生成する複数の光電変換手段であって、入射光を第１の色成分、第２の色成分および第３の色成分の３つの色成分に分光する色フィルタが受光部に配置された複数の光電変換手段と、
該複数の光電変換手段のうち第１の色成分の色フィルタが配置された第１の光電変換手段にて生成され、転送ゲートを介してシフトされた第１の色成分の電荷を、垂直方向に転送する複数の第１の垂直転送路と、
前記複数の光電変換手段のうち第２の色成分の色フィルタが配置された第２の光電変換手段にて生成され、転送ゲートを介してシフトされた第２の色成分の電荷、および第３の色成分の色フィルタが配置された第３の光電変換手段にて生成され転送ゲートを介してシフトされた第３の色成分の電荷を垂直方向に転送する複数の第２の垂直転送路と、
第１および第２の垂直転送路のそれぞれを水平方向に接続し、各垂直転送路のポテンシャルを、垂直駆動パルスに応じて変化させる第１、第２、第３および第４の垂直転送電極と、
第１および第２の垂直転送路から転送される第１ないし第３の色成分の電荷を水平走査方向に転送する水平転送路と、
該水平転送路から転送される電荷を検出し、該信号電荷に応じた電気信号を出力する出力手段とを含み、
前記第１の垂直転送路と第２の垂直転送路とは、それぞれ水平方向に交互に配設されており、
第１ないし第４の垂直転送電極は、各垂直転送路に順に接続され、
第１の光電変換手段は、転送ゲートを介して第３の垂直転送電極に接続されて、第３の垂直転送電極に印加される読出パルスに応動して、第１の光電変換手段にて生成される電荷を、第１の垂直転送路にシフトし、
第２の光電変換手段は、転送ゲートを介して第１の垂直転送電極に接続されて、第１の垂直転送電極に印加される読出パルスに応動して、該第２の光電変換手段にて生成される電荷を、第１の電極に対応する領域の第２の垂直転送路にシフトし、
第３の光電変換手段は、転送ゲートを介して第２の垂直転送電極に接続されて、第２の垂直転送電極に印加される読出パルスに応動して、該第３の光電変換手段にて生成される電荷を、第２の領域に対応する領域の第２の垂直転送路にシフトし、
前記駆動手段は、前記制御手段の制御に応動して、第１ないし第３の色成分の受光素子に対し、各色成分について独立した露光時間を与えるように前記垂直転送電極に読出パルスを供給することを特徴とする撮像装置。
【手続補正４】
【補正対象書類名】明細書
【補正対象項目名】請求項１３
【補正方法】変更
【補正の内容】
【請求項１３】
請求項４に記載の撮像装置において、前記色フィルタの第１の色成分は緑成分であり、前記色フィルタの第２の色成分は赤成分であり、前記色フィルタの第３の色成分は青成分であることを特徴とする撮像装置。
【手続補正５】
【補正対象書類名】明細書
【補正対象項目名】００１９
【補正方法】変更
【補正の内容】
【００１９】
各垂直転送路(VCCD)の信号電荷が水平転送路(HCCD)に移動すると水平駆動パルスφH (H1,H2)によって水平転送路(HCCD)を高速転送される。HCCDの終端部に移動された信号電荷は出力アンプ(AMP)にて検出され、電荷量に応じて増幅された画素信号がその出力28に出力される。
【手続補正６】
【補正対象書類名】明細書
【補正対象項目名】００３８
【補正方法】変更
【補正の内容】
【００３８】
電子シャッタパルス（ES）と、各色成分毎に設定されるフォトダイオード(PD)読出パルス（TG-R,TG-G,TG-B）は、それぞれシステム制御部46にて設定された露出情報、つまり色成分毎の露出時間に応じて独立したタイミングにて生成される。図３において、R画素用の読出パルス(TG-R)に着目すると、時刻t2の電子シャッタパルス(ES)が出力停止されると、フォトダイオード(PD)内の不要電荷排出が完了し、色成分毎の露出時間に応じたタイミングの読出パルス(TG-R)が生成されて、時刻t2の第１回目の読出パルス(TG-R)ではR画素のフォトダイオード(PD-R)内の不要電荷を垂直転送路(VCCD)に排出する。時刻t5になると、それまでR画素のフォトダイオード(PD-R)にて生成された信号電荷が第２回目の読出パルス(TG-R)によって垂直転送路(VCCD)に転送される。時刻t5以降このR画素にて生成された信号電荷は、垂直駆動パルスにより垂直転送路(VCCD)から水平転送路(HCCD)に転送される。この例ではG画素も同様である。B画素については、読出パルス(TG-B)により時刻t3にてB画素のフォトダイオード(PD-B)内の不要電荷が排出されると本撮像における実際の露光が開始される。